(57)【要約】【課題】共通のセンサを用いて、トレイの有無の検知とシートのサイズ検知とを行うことができる画像形成装置を提供すること。【解決手段】第１アクチュエータ８０の当接部８３は、縦置きのシートＰが配置される第１領域Ｒ１の範囲外にあり、横置きのシートＰが配置される第２領域Ｒ２の範囲内にある。一方、第２アクチュエータ９０の当接部９３は、第１領域Ｒ１の範囲内にある。これにより、第１アクチュエータ８０および第２アクチュエータ９０の位置に応じて第１センサ７１および第２センサ７４が出力する検知信号に基づいて、ＣＰＵ１１２はシートＰが縦置きであるか横置きであるかとの判断と、給送トレイ２０が引き出されたか否かの判断とをすることができる。【選択図】図２
2017222484.tif 000002
【特許請求の範囲】
【請求項１】
画像形成部と、
前記画像形成部を収納する筐体と、
前記筺体に対して脱着可能に設けられ、シートを支持する支持面を有するトレイと、
前記筐体に対して装着位置にある前記トレイに支持されているシートに当接可能なローラと、
第１位置と第２位置との間で揺動可能に前記筐体に設けられる第１アクチュエータと、
前記筐体に設けられ、前記第１アクチュエータの位置が前記第１位置か前記第２位置かによって異なる信号を出力する第１センサと、
第３位置と第４位置との間で搖動可能に前記筐体に設けられる第２アクチュエータと、
前記筐体に設けられ、前記第２アクチュエータの位置が前記第３位置か前記第４位置かによって異なる信号を出力する第２センサと、
制御部と、を備え、
前記第１アクチュエータは、
前記装着位置にある前記トレイの支持面に対する鉛直方向において、第１サイズのシートを支持する前記支持面の領域である第１領域と重ならない位置であって、且つ前記第１サイズよりも大きい第２サイズのシートを支持する前記支持面の領域である第２領域と重なる位置にあり、
前記装着位置にある前記トレイが前記第２サイズのシートを支持していないときに、前記第１位置となる一方で、前記装着位置にある前記トレイが前記第２サイズのシートを支持しているときに、シートに当接して前記第２位置となり、
前記鉛直方向において、前記トレイが当該第１アクチュエータと重ならない位置にあるときに、前記第１位置となり、
前記第２アクチュエータは、
前記鉛直方向において、前記第１領域および前記第２領域の両領域に重なる位置にあり、
前記装着位置にある前記トレイがシートを支持していないときに、前記第３位置となる一方で、前記装着位置にある前記トレイがシートを支持しているときに、シートに当接して前記第４位置となり、
前記鉛直方向において、前記トレイが当該第２アクチュエータと重ならない位置にあるときに、前記第３位置となり、
前記トレイは、
前記装着位置とは異なる位置において、前記第１アクチュエータおよび前記第２アクチュエータのうち少なくともいずれか一方のアクチュエータと当接し、当接する前記少なくともいずれか一方のアクチュエータを前記第２位置および前記第４位置のうち少なくともいずれか一方に搖動させる第１当接部を有し、
前記制御部は、
前記ローラを制御して、前記トレイが支持するシートを前記画像形成部へ向けて搬送する搬送処理と、
前記画像形成部を制御して、前記ローラによって搬送されてくるシートに画像を形成する画像形成処理と、を実行し、
前記第１センサから出力される信号が、前記第１アクチュエータが前記第１位置にあるときに出力される信号であり、且つ前記第２センサから出力される信号が、前記第２アクチュエータが前記第４位置にあるときに出力される信号であるか、否かを判断するサイズ判断処理を実行し、
前記画像形成処理を実行していない間に前記第１センサおよび前記第２センサのうち少なくともいずれか一方のセンサから出力される信号が変化したか否かを判断するトレイ判断処理を実行することを特徴とする画像形成装置。
【請求項２】
前記制御部は、前記トレイ判断処理において、前記第１センサから出力される信号が前記第２位置にあるときに出力される信号から前記第１位置にあるときに出力される信号に変化した場合、前記トレイは前記筐体の外に前記支持面を露出する位置へ変化したと判断することを特徴とする請求項１に記載の画像形成装置。
【請求項３】
前記制御部は、前記トレイ判断処理において、前記第１センサから出力される信号が前記第１位置にあるときに出力される信号から前記第２位置にあるときに出力される信号に変化した場合、前記トレイは前記装着位置へ変化したと判断することを特徴とする請求項１または請求項２に記載の画像形成装置。
【請求項４】
前記第１アクチュエータは、前記トレイが支持しているシートの枚数が第１所定枚数未満であるときに前記第１位置となり、前記トレイに支持しているシートの枚数が前記第１所定枚数以上であるときに前記第２位置となり、
前記第２アクチュエータは、前記トレイが支持しているシートの枚数が前記第１所定枚数より多い第２所定枚数未満であるときに前記第３位置となり、前記トレイが支持しているシートの枚数が前記第２所定枚数以上であるときに前記第４位置となり、
前記制御部は、
前記第１センサから出力される信号が前記第２位置にあるときに出力される信号であり、且つ、前記第２センサから出力される信号が前記第３位置にあるときに出力される信号であるか否かを判断し、
前記第１センサから出力される信号が前記第２位置にあるときに出力されるであり、且つ、前記第２信号から出力される信号が前記第４位置にあるときに出力される信号であるか否かを判断することを特徴とする請求項１乃至請求項３の何れかに記載の画像形成装置。
【請求項５】
前記制御部は、
前記第１センサから出力される信号が前記第１位置にあるときに出力される信号であり、且つ、前記第２信号から出力される信号が前記第４位置にあるときに出力される信号であるか否かを判断することを特徴とする請求項４に記載の画像形成装置。
【請求項６】
前記トレイが前記第２サイズ以上の大きさのシートを支持していないときに前記第１アクチュエータを前記第１位置に保持する保持部材を備え、
前記トレイが前記第２サイズ以上の大きさのシートを支持することに応じて、第１アクチュエータは、前記保持部材から離間して前記第２位置に変化することを特徴とする請求項４または請求項５に記載の画像形成装置。
【請求項７】
前記第１アクチュエータは、前記トレイが支持しているシートの枚数が第１所定枚数未満であるときに前記第１位置となり、前記トレイに支持しているシートの枚数が前記第１所定枚数以上であるときに前記第２位置となり、
前記第２アクチュエータは、前記トレイが支持しているシートの枚数が前記第１所定枚数より少ない第２所定枚数未満であるときに前記第３位置となり、前記トレイが支持しているシートの枚数が前記第２所定枚数以上であるときに前記第４位置となり、
前記制御部は、
前記第１センサから出力される信号が前記第４位置にあるときに出力される信号であり、且つ、前記第１センサから出力される信号が前記第２位置にあるときに出力される信号であるか否かを判断し、
前記第１センサから出力される信号が前記第２位置にあるときに出力される信号であり、且つ、前記第２センサから出力される信号が前記第４位置にあるときに出力される信号であると判断した後、前記画像形成処理の実行中に、前記第２センサから出力される信号が前記第４位置信号から変化せず、且つ、前記第１センサから出力される信号が前記第２位置にあるときに出力される信号から前記第１位置にあるときに出力される信号に変化したか否かを判断することを特徴とする請求項１乃至請求項３の何れかに記載の画像形成装置。
【請求項８】
前記トレイが前記第１サイズ以上の大きさのシートを支持していない場合に前記第２アクチュエータを前記第３位置に保持する保持部材を備え、
前記トレイが前記第１サイズ以上の大きさのシートを支持することに応じて、前記第２アクチュエータは、前記保持部材から離間して前記第４位置に変化することを特徴とする請求項７に記載の画像形成装置。
【請求項９】
前記保持部材は、
シートを支持する前記トレイの支持面に設けられ、前記トレイがシートを支持していない状態で、前記第１アクチュエータまたは前記第２アクチュエータのシートと当接する第２当接部を前記支持面より下方に誘導する凹部を備えることを特徴とする請求項６または請求項８に記載の画像形成装置。
【請求項１０】
前記センサは、
発光部と、前記発光部が発光する光を受光する受光部と、を有し、
前記第１アクチュエータおよび前記第２アクチュエータの各々は、
支軸と、
一端が前記支軸に軸支され、シートと当接する第１端部と、
前記発光部と前記受光部との間に位置して、前記受光部に対向して前記受光部への光を遮る遮光部を有し、一端が前記支軸に軸支され、前記第１端部との相対位置が固定された第２端部と、を有し、
前記支軸を中心として前記第１端部と前記第２端部とのなす角度が、前記第１アクチュエータと前記第２アクチュエータとで異なることを特徴とする請求項１乃至請求項９の何れかに記載の画像形成装置。
【請求項１１】
前記制御部は、
前記第１センサから出力される信号が前記第１位置にあるときに出力される信号であるときに、前記トレイに前記第２サイズのシートが無いことを報知することを特徴とする請求項６に記載の画像形成装置。
【請求項１２】
前記制御部は、
前記第１センサから出力される信号が前記第２位置にあるときに出力される信号であるときに、前記トレイにシートが無いことを報知することを特徴とする請求項８に記載の画像形成装置。
【請求項１３】
前記制御部は、
前記サイズ判断処理において肯定判断をする場合、前記トレイが支持しているシートの大きさが、前記第２サイズであることを報知することを特徴とする請求項１に記載の画像形成装置。
【請求項１４】
前記制御部は、
前記トレイ判断処理において肯定判断をした後に、前記サイズ判断処理において肯定判断をした場合、前記画像形成処理におけるシートのサイズを前記第２サイズに設定することを特徴とする請求項１に記載の画像形成装置。
【請求項１５】
前記制御部は、
前記第１センサから出力される信号が前記第１位置にあるときに出力される信号であり、且つ、前記第２信号から出力される信号が前記第４位置にあるときに出力される信号であると判断すると、前記トレイが支持しているシートの大きさが、前記第１サイズであることを報知することを特徴とする請求項５に記載の画像形成装置。
【請求項１６】
前記制御部は、
前記トレイ判断処理において肯定判断をした後に、前記第１センサから出力される信号が前記第１位置にあるときに出力される信号であり、且つ、前記第２信号から出力される信号が前記第４位置にあるときに出力される信号であると判断した場合、前記画像形成処理におけるシートのサイズを前記第１サイズに設定することを特徴とする請求項５に記載の画像形成装置。
【請求項１７】
前記制御部は、
前記トレイ判断処理において肯定判断した場合、前記トレイは前記筐体の外に前記支持面を露出する位置にあることを報知することを特徴とする請求項１に記載の画像形成装置。
【発明の詳細な説明】
【技術分野】
【０００１】
本発明は、画像形成装置に関するものである。
【背景技術】
【０００２】
従来より、シートを支持するトレイを備える画像形成装置において、トレイの有無の検知、およびトレイに支持されているシートのサイズの検知が行われている。特許文献１には、シート（記録紙）のサイズのみならずトレイ（カセット）の有無を検知する用紙サイズ検知センサを備える画像記録装置が記載されている。特許文献１の記載のように、共通のセンサを用いて、トレイの有無の検知と、シートのサイズの検知とを行うことができれば、センサを削減することができる。
【先行技術文献】
【特許文献】
【０００３】
【特許文献１】特開平０７−２５４９７号公報
【発明の概要】
【発明が解決しようとする課題】
【０００４】
しかしながら、特許文献１には、共通のセンサを用いて、トレイの有無の検知と、シートのサイズの検知とを行うための具体的な実現方法が記載されておらず、検討の余地があった。
【０００５】
本願は、上記の課題に鑑み提案されたものであって、共通のセンサを用いて、トレイの有無の検知とシートのサイズ検知とを行うことができる画像形成装置を提供することを目的とする。
【課題を解決するための手段】
【０００６】
（１）本願に係る画像形成装置は、画像形成部と、画像形成部を収納する筐体と、筺体に対して脱着可能に設けられ、シートを支持する支持面を有するトレイと、筐体に対して装着位置にあるトレイに支持されているシートに当接可能なローラと、第１位置と第２位置との間で揺動可能に筐体に設けられる第１アクチュエータと、筐体に設けられ、第１アクチュエータの位置が第１位置か第２位置かによって異なる信号を出力する第１センサと、第３位置と第４位置との間で搖動可能に筐体に設けられる第２アクチュエータと、筐体に設けられ、第２アクチュエータの位置が第３位置か第４位置かによって異なる信号を出力する第２センサと、制御部と、を備え、第１アクチュエータは、装着位置にあるトレイの支持面に対する鉛直方向において、第１サイズのシートを支持する支持面の領域である第１領域と重ならない位置であって、且つ第１サイズよりも大きい第２サイズのシートを支持する支持面の領域である第２領域と重なる位置にあり、装着位置にあるトレイが第２サイズのシートを支持していないときに、第１位置となる一方で、装着位置にあるトレイが第２サイズのシートを支持しているときに、シートに当接して第２位置となり、鉛直方向において、トレイが当該第１アクチュエータと重ならない位置にあるときに、第１位置となり、第２アクチュエータは、鉛直方向において、第１領域および第２領域の両領域に重なる位置にあり、装着位置にあるトレイがシートを支持していないときに、第３位置となる一方で、装着位置にあるトレイがシートを支持しているときに、シートに当接して第４位置となり、鉛直方向において、トレイが当該第２アクチュエータと重ならない位置にあるときに、第３位置となり、トレイは、装着位置とは異なる位置において、第１アクチュエータおよび第２アクチュエータのうち少なくともいずれか一方のアクチュエータと当接し、当接する少なくともいずれか一方のアクチュエータを第２位置および第４位置のうち少なくともいずれか一方に搖動させる第１当接部を有し、制御部は、ローラを制御して、トレイが支持するシートを画像形成部へ向けて搬送する搬送処理と、画像形成部を制御して、ローラによって搬送されてくるシートに画像を形成する画像形成処理と、を実行し、第１センサから出力される信号が、第１アクチュエータが第１位置にあるときに出力される信号であり、且つ第２センサから出力される信号が、第２アクチュエータが第４位置にあるときに出力される信号であるか、否かを判断するサイズ判断処理を実行し、画像形成処理を実行していない間に第１センサおよび第２センサのうち少なくともいずれか一方のセンサから出力される信号が変化したか否かを判断するトレイ判断処理を実行することを特徴とする。
【０００７】
トレイが第２サイズのシートを支持していないとき第１アクチュエータは第１位置にあり、トレイが第１サイズのシートを支持しているときに第２アクチュエータが第４位置にあるため、制御部はサイズ判断処理により、トレイが第１サイズのシートを支持しているかどうかが分かる。制御部はサイズ判断処理において肯定判断する場合、トレイが支持しているシートのサイズが第１サイズであることが分かるので、その情報を表示したり記憶したりする等、第１サイズのシートに対応した処理を行うことができる。トレイの位置が装着位置とは異なる位置となると、第１アクチュエータは第２位置になるか、もしくは、第２アクチュエータは第４位置となるため、制御部はトレイ判断処理により、トレイの位置が装着位置とは異なる位置に変化したかどうかが分かる。制御部はトレイ判断処理において肯定判断する場合、トレイの位置が変わったことが分かるので、その情報を表示したり記憶したりする等、トレイの位置の変化に応じた処理を行うことができる。このように、第１アクチュエータおよび第２アクチュエータの位置に応じて第１センサおよび第２センサが出力する信号に基づいて、制御部はシートのサイズに関わる判断と、トレイの位置に関わる判断とをすることができる。
【０００８】
（２）また、制御部は、トレイ判断処理において、第１センサから出力される信号が第２位置にあるときに出力される信号から第１位置にあるときに出力される信号に変化した場合、トレイは筐体の外に支持面を露出する位置へ変化したと判断することを特徴とする。
【０００９】
トレイの位置が装着位置から筐体の外に支持面を露出する位置へ変化する場合、第１アクチュエータは、第１当接部により第２位置に搖動した後、トレイは装着位置にないため、第１位置となる。制御部は、第２位置にあるときに出力される信号から第１位置にあるときに出力される信号に変化した場合、トレイの位置が装着位置から筐体の外に支持面を露出する位置へ変化したと判断することができる。
【００１０】
（３）また、制御部は、トレイ判断処理において、第１センサから出力される信号が第１位置にあるときに出力される信号から第２位置にあるときに出力される信号に変化した場合、トレイは装着位置へ変化したと判断することを特徴とする。
【００１１】
トレイの位置が筐体の外に支持面を露出する位置から装着位置へ変化する場合、トレイは装着位置にないため第１位置であった第１アクチュエータは、第１当接部により第２位置に搖動する。制御部は、第１位置にあるときに出力される信号から第２位置にあるときに出力される信号に変化した場合、トレイの位置が筐体の外に支持面を露出する位置から装着位置へ変化したと判断することができる。
【００１２】
（４）また、第１アクチュエータは、トレイが支持しているシートの枚数が第１所定枚数未満であるときに第１位置となり、トレイに支持しているシートの枚数が第１所定枚数以上であるときに第２位置となり、第２アクチュエータは、トレイが支持しているシートの枚数が第１所定枚数より多い第２所定枚数未満であるときに第３位置となり、トレイが支持しているシートの枚数が第２所定枚数以上であるときに第４位置となり、制御部は、第１センサから出力される信号が第２位置にあるときに出力される信号であり、且つ、第２センサから出力される信号が第３位置にあるときに出力される信号であるか否かを判断し、第１センサから出力される信号が第２位置にあるときに出力されるであり、且つ、第２信号から出力される信号が第４位置にあるときに出力される信号であるか否かを判断することを特徴とする。
【００１３】
トレイが第２サイズのシートを第１所定枚数以上、支持しているとき第１アクチュエータは第２位置にある。また、トレイが支持している第２サイズのシートの枚数が第２所定枚数以上か否かによって、第２アクチュエータは第３位置および第４位置の何れかとなる。このため、制御部はトレイが支持している第２サイズのシートの枚数を第１所定枚数および第２所定枚数を基準とする２段階で判断することができる。尚、第１所定枚数未満、第２所定枚数未満には、０枚を含む。
【００１４】
（５）また、制御部は、第１センサから出力される信号が第１位置にあるときに出力される信号であり、且つ、第２信号から出力される信号が第４位置にあるときに出力される信号であるか否かを判断することを特徴とする。トレイが第２サイズのシートを支持していないとき第１アクチュエータは第１位置にある。また、トレイが支持している第２サイズのシートの枚数が第２所定枚数以上であるときに、第２アクチュエータは第４位置となる。このため、制御部はトレイが支持している第１サイズのシートの枚数が第２所定枚数を基準として判断することができる。
【００１５】
（６）また、トレイが第２サイズ以上の大きさのシートを支持していないときに第１アクチュエータを第１位置に保持する保持部材を備え、トレイが第２サイズ以上の大きさのシートを支持することに応じて、第１アクチュエータは、保持部材から離間して第２位置に変化することを特徴とする。制御部はトレイにおける第２サイズのシートの有無を判断することができる。
【００１６】
（７）また、第１アクチュエータは、トレイが支持しているシートの枚数が第１所定枚数未満であるときに第１位置となり、トレイに支持しているシートの枚数が第１所定枚数以上であるときに第２位置となり、第２アクチュエータは、トレイが支持しているシートの枚数が第１所定枚数より少ない第２所定枚数未満であるときに第３位置となり、トレイが支持しているシートの枚数が第２所定枚数以上であるときに第４位置となり、制御部は、第１センサから出力される信号が第４位置にあるときに出力される信号であり、且つ、第１センサから出力される信号が第２位置にあるときに出力される信号であるか否かを判断し、第１センサから出力される信号が第２位置にあるときに出力される信号であり、且つ、第２センサから出力される信号が第４位置にあるときに出力される信号であると判断した後、画像形成処理の実行中に、第２センサから出力される信号が第４位置信号から変化せず、且つ、第１センサから出力される信号が第２位置にあるときに出力される信号から第１位置にあるときに出力される信号に変化したか否かを判断することを特徴とする。
【００１７】
画像形成処理を実行中には、トレイに支持されているシートの枚数は減少する。トレイが第１サイズ以上のシートを第２所定枚数以上、支持しているとき第２アクチュエータは第４位置にある。また、トレイが支持している第２サイズのシートの枚数が第２所定枚数以上から第２所定枚数未満へ減少すると、第１アクチュエータの位置は第２位置から第１位置へ変化する。このため、画像形成処理の実行中において、制御部はトレイが支持している第２サイズのシートの枚数を第１所定枚数および第２所定枚数を基準とする２段階で判断することができる。
【００１８】
（８）また、トレイが第１サイズ以上の大きさのシートを支持していない場合に第２アクチュエータを第３位置に保持する保持部材を備え、トレイが第１サイズ以上の大きさのシートを支持することに応じて、第２アクチュエータは、保持部材から離間して第４位置に変化することを特徴とする。これにより、制御部はトレイにおける第１サイズのシートの有無を判断することができる。
【００１９】
（９）また、保持部材は、シートを支持するトレイの支持面に設けられ、トレイがシートを支持していない状態で、第１アクチュエータまたは第２アクチュエータのシートと当接する第２当接部を支持面より下方に誘導する凹部を備えることを特徴とする。これにより、トレイにシートが無い場合に、第１アクチュエータもしくは第２アクチュエータを第１位置または第３位置とすることができる。
【００２０】
（１０）また、センサは、発光部と、発光部が発光する光を受光する受光部と、を有し、第１アクチュエータおよび第２アクチュエータの各々は、支軸と、一端が支軸に軸支され、シートと当接する第１端部と、発光部と受光部との間に位置して、受光部に対向して受光部への光を遮る遮光部を有し、一端が支軸に軸支され、第１端部との相対位置が固定された第２端部と、を有し、支軸を中心として第１端部と第２端部とのなす角度が、第１アクチュエータと第２アクチュエータとで異なることを特徴とする。これにより、第１アクチュエータと第２アクチュエータとで、位置が変化するシートの枚数にかかる閾値を異なるものとすることができる。
【００２１】
（１１）また、制御部は、第１センサから出力される信号が第１位置にあるときに出力される信号であるときに、トレイに第２サイズのシートが無いことを報知することを特徴とする。これにより、ユーザは、シートが無いことを認識することができる。
【００２２】
（１２）また、制御部は、第１センサから出力される信号が第２位置にあるときに出力される信号であるときに、トレイにシートが無いことを報知することを特徴とする。これにより、ユーザは、シートが無いことを認識することができる。
【００２３】
（１３）また、制御部は、サイズ判断処理において肯定判断をする場合、トレイが支持しているシートの大きさが、第２サイズであることを報知することを特徴とする。これにより、ユーザはトレイに支持されているシートが第２サイズであることを認識することができる。
【００２４】
（１４）また、制御部は、トレイ判断処理において肯定判断をした後に、サイズ判断処理において肯定判断をした場合、画像形成処理におけるシートのサイズを第２サイズに設定することを特徴とする。これにより、ユーザの、画像形成処理における設定の操作を簡略化することができる。
【００２５】
（１５）また、制御部は、第１センサから出力される信号が第１位置にあるときに出力される信号であり、且つ、第２信号から出力される信号が第４位置にあるときに出力される信号であると判断すると、トレイが支持しているシートの大きさが、第１サイズであることを報知することを特徴とする。これにより、ユーザはトレイに支持されているシートが第１サイズであることを認識することができる。
【００２６】
（１６）また、制御部は、トレイ判断処理において肯定判断をした後に、第１センサから出力される信号が第１位置にあるときに出力される信号であり、且つ、第２信号から出力される信号が第４位置にあるときに出力される信号であると判断した場合、画像形成処理におけるシートのサイズを第１サイズに設定することを特徴とする。これにより、ユーザの、画像形成処理における設定の操作を簡略化することができる。
【００２７】
（１７）また、制御部は、トレイ判断処理において肯定判断した場合、トレイは筐体の外に支持面を露出する位置にあることを報知することを特徴とする。これにより、ユーザは、トレイが筐体の外に支持面を露出する位置にあることを認識することができる。
【発明の効果】
【００２８】
本願によれば、共通のセンサを用いて、トレイの有無の検知とシートのサイズ検知とを行うことができる画像形成装置を提供することができる。
【図面の簡単な説明】
【００２９】
【図１】プリンタの概略構成を示す断面図である。
【図２】給送部を鉛直方向における上から見た平面図である。
【図３】給送トレイが支持するシートの枚数に応じて変化する第１アクチュエータと第１センサとの相対位置および第２アクチュエータと第２センサとの相対位置を説明する図である。
【図４】プリンタの電気的構成を示すブロック図である。
【図５】判断処理の処理内容を示すフローチャート（１／２）である。
【図６】判断処理の処理内容を示すフローチャート（２／２）である。
【発明を実施するための形態】
【００３０】
＜プリンタの概略＞
図１を用いて、インクジェットプリンタ（以下、プリンタと略記する。）１の構成について説明する。以下の説明において、方向は、プリンタ１を使用するユーザを基準にした方向で説明する。即ち、図１で紙面右側を「前」、紙面左側を「後」とし、紙面手前側を「左」、紙面奥側を「右」とし、紙面上側を「上」、紙面下側を「下」とする。
【００３１】
図１に示すように、プリンタ１は、略箱状の筐体２、給送トレイ２０、排出トレイ２１を有しており、筐体２の内部に、給送部１５、搬送ローラ部５４、画像形成部２４、および排出ローラ部５５などを収納している。
【００３２】
給送トレイ２０および排出トレイ２１は、プリンタ１の前面に脱着可能に設置されている。給送トレイ２０は、支持面２０ａにてシートＰを支持する。排出トレイ２１は給送トレイ２０の上に設置されており、給送トレイ２０とともに脱着される。給送トレイ２０にシートＰを補充したいユーザは、給送トレイ２０を前方へ引き出し、支持面２０ａを筐体２から露出させ、露出した支持面２０ａの上にシートＰを載置する。筐体２内部には、給送トレイ２０の後端部から排出トレイ２１へ向かう搬送経路１６が形成されている。
【００３３】
給送部１５は、給送ローラ２５、アーム２６、および支軸２７などを備えている。給送ローラ２５は、アーム２６の先端側に回転可能に支持されている。アーム２６は、自重により給送トレイ２０側へ付勢される。給送ローラ２５は、給送トレイ２０が支持するシートＰと当接しつつ回転することにより、シートＰを搬送経路１６へ送出する。
【００３４】
搬送ローラ部５４は、画像形成部２４の搬送方向上流側に配置されている。搬送ローラ部５４は搬送ローラ６０，６１を有し、シートＰを画像形成部２４に搬送する。画像形成部２４は、キャリッジ２３、ヘッド３９、および複数のノズル４０などを有している。ノズル４０は孔を下向きにして、ヘッド３９の下側に設置されている。ヘッド３９は、不図示のインクカートリッジから供給されるインクをノズル４０から吐出する。ヘッド３９を搭載しているキャリッジ２３は、不図示のガイドに沿って、左右方向に往復する。プラテン４２は搬送経路１６を挟んで画像形成部２４と対向して設置されている。プラテン４２はシートＰを下側から支持する。
【００３５】
排出ローラ部５５は、画像形成部２４の搬送方向下流側に配置されている。排出ローラ部５５は、排出ローラ６２，６３を有し、画像形成されたシートＰを排出トレイ２１へ排出する。
【００３６】
次に、プリンタ１における画像形成時の動作について説明する。プリンタ１は印刷ジョブを受信すると、給送部１５が給送トレイ２０にあるシートＰを搬送経路１６に送出する。搬送ローラ部５４は、シートＰを搬送経路１６に沿って画像形成部２４に搬送する。画像形成部２４は印刷データに基づいてインクをシートＰに吐出することにより、シートＰに画像形成する。排出ローラ部５５は画像形成されたシートＰを排出トレイ２１に排出する。
【００３７】
次に、給送部１５について、図２を用いて詳しく説明する。給送トレイ２０は、Ａ４サイズのシートＰの、長辺方向を前後方向に沿う向きとした配置（以後、「縦置き」と称する）と、短辺方向を搬送方向に沿う向きとした配置（以後、「横置き」と称する）とが可能となっている。また、給送トレイ２０は、給送トレイ２０の左右方向の略中心を基準線として、シートＰの左右方向の中心が基準線と一致するように配置可能となっている。図２において、第１領域Ｒ１は縦置きのシートＰが配置される領域を示しており、第２領域Ｒ２は横置きのシートＰが配置される領域を示している。長さＬ１はＡ４サイズの短辺の長さであり、長さＬ２はＡ４サイズの長辺の長さである。第１領域Ｒ１は矩形の領域であり、左右方向に沿う辺の長さが長さＬ１である。第２領域Ｒ２は矩形の領域であり、左右方向に沿う辺の長さが長さＬ２であり、第２領域Ｒ２よりも左右方向におけるサイズが大きい。尚、図２における前後方向が、シートＰが搬送される搬送方向である。また、給送トレイ２０は、例えば２５０枚程度のシートＰを支持することができる。
【００３８】
給送トレイ２０は、上方に開放した略箱形状であり、支持面２０ａの他に、穴２０ｂ、側壁２０ｃ、係合部２０ｄを有している。穴２０ｂは支持面２０ａに形成された穴であり、詳細は後述する。側壁２０ｃは、給送トレイ２０の右端部の側壁であり、係合部２０ｄを有している。
【００３９】
給送部１５は、図１で示す給送ローラ２５、アーム２６、および支軸２７の他に、フレーム７０、第１アクチュエータ８０、第２アクチュエータ９０、第１センサ７１、および第２センサ７４を有している。フレーム７０は、アーム２６に一体に形成されている。フレーム７０は、平面視で矩形状であり、右端部に係合部７０ａを有している。給送トレイ２０が脱着される際、係合部７０ａは、給送トレイ２０の係合部２０ｄと一時的に係合することで、アーム２６およびフレーム７０を上方へ回動させて、アーム２６およびフレーム７０を支軸２７とほぼ同じ高さまで一時的に上昇させて退避させる。これにより、給送トレイ２０が脱着される際、給送トレイ２０が支持するシートＰとアーム２６との干渉が回避される。
【００４０】
アーム２６は、駆動伝達機構２６ａを有している。駆動伝達機構２６ａは、プリンタ１が備える不図示のモータの駆動力を給送ローラ２５へ伝達する。尚、駆動伝達機構２６ａは例えば、例えば複数のギヤで実現されている。給送ローラ２５は２つあり、アーム２６を挟んで、左右に１つずつ設置されている。
【００４１】
第１アクチュエータ８０は、平面視でＪ字状であり、支軸８１、遮光部８２、および当接部８３を有する。第１アクチュエータ８０は、支軸８１を中心として、フレーム７０に搖動可能に支持されている。遮光部８２および当接部８３は、支軸８１から延びる四角柱状である。当接部８３は、先端部でシートＰに当接する。遮光部８２の先端部は発光素子７２（後述）が発光する光を遮光する。第２アクチュエータ９０は支軸９１、遮光部９２、および当接部９３を有する。第２アクチュエータ９０は第１アクチュエータ８０と同様の構成であるため、説明を省略する。尚、第１アクチュエータ８０および第２アクチュエータ９０は、搖動可能な範囲が規制されている。詳しくは、第１アクチュエータ８０および第２アクチュエータ９０は、フレーム７０と係合するための不図示の係合部を夫々有している。これにより、給送トレイ２０が脱着される際、アーム２６およびフレーム７０が一時的に上方に回動すると、当接部８３，９３はフレーム７０と係合して下方への回動が規制される。
【００４２】
第１アクチュエータ８０の当接部８３は、第１領域Ｒ１の範囲外にあり、第２領域Ｒ２の範囲内にある。一方、第２アクチュエータ９０の当接部９３は、第１領域Ｒ１の範囲内にある。これにより、給送トレイ２０が横置きのシートＰを支持している場合には、第１アクチュエータ８０の当接部８３および第２アクチュエータ９０の当接部９３の両方がシートＰと当接する。一方、給送トレイ２０が縦置きのシートＰを支持している場合には、第１アクチュエータ８０はシートＰと当接せず、第２アクチュエータ９０の当接部９３がシートＰと当接する。
【００４３】
遮光部８２，９２の近傍には夫々第１センサ７１および第２センサ７４が備えられている。第１センサ７１は遮光壁７１ａ、発光素子７２、および受光素子７３を有する。遮光壁７１ａは、平面視でコの字状であり、開放部に遮光部８２が挿入可能となっている。受光素子７３は左右方向から見て、発光素子７２と略同じ位置に受光素子７３と対向して設置されている。発光素子７２は受光素子７３に光を照射し、受光素子７３は発光素子７２から照射される光を受光する。遮光部８２が発光素子７２から照射される光を遮ると、受光素子７３で受光する光量は減少する。第１センサ７１は受光素子７３が受光する受光量が所定量を下回った場合、検知信号を後述するＣＰＵ１１２へ出力する。第２センサ７４は遮光壁７４ａ、発光素子７５、および受光素子７６を有する。第２センサ７４は、第１センサ７１と同様の構成であるため、説明を省略する。尚、以下の説明において、遮光部８２，９２が光を遮光し、第１センサ７１および第２センサ７４が検知信号を出力している状態を「検知状態」、それ以外を「非検知状態」と称する。
【００４４】
第１センサ７１および第２センサ７４の状態について図３を用いて詳細に説明する。図３は、給送トレイ２０の支持面２０ａ、第１アクチュエータ８０、第２アクチュエータ９０、第１センサ７１の発光素子７２、および第２センサ７４の発光素子７５を左右方向から見た模式図である。図３の「８０」、「９０」とは夫々、第１アクチュエータ８０および第２アクチュエータ９０を示している。「０枚」、「１枚」、「Ｙ枚」とは、給送トレイ２０が支持するシートＰの積載枚数を示している。ここで、Ｙ枚とは、例えば７５枚である。シートＰの積載枚数が多い程、シートＰの最上面の支持面２０ａからの高さは高くなるため、シートＰと当接して搖動する当接部８３および当接部９３の上下方向の位置が変化する。
【００４５】
ここで、穴２０ｂは当接部８３の下方に形成されており、支持面２０ａがシートＰを支持していない場合、第１アクチュエータ８０の当接部８３を支持面２０ａより下方に誘導するものである。支持面２０ａにシートＰが支持されていない場合、当接部９３は穴２０ｂの下面に当接する。一方、第２アクチュエータ９０の当接部９３の下方に穴は形成されていないため、支持面２０ａにシートＰが支持されていない場合、当接部９３は支持面２０ａと当接することとなる。
【００４６】
第１アクチュエータ８０において、遮光部８２および当接部８３は、各々の長手方向の軸が、左右方向から見て、互いにずれて設置されている。第２アクチュエータ９０においても同様に設置されている。また、第１アクチュエータ８０と第２アクチュエータ９０とでは、左右方向から見て、遮光部８２（第２アクチュエータ９０では遮光部９２）の長手方向の軸と、当接部８３（第２アクチュエータ９０では当接部９３）の長手方向の軸とがなす角の角度が異なり、第１アクチュエータ８０の方が、角度が大きい。これにより、第１センサ７１と第２センサ７４とでは、検知状態と非検知状態との間で状態が切替わる閾値となるシートＰの積載枚数が異なる構成となっている。積載枚数が０枚の場合、遮光部８２，９２は発光素子７２，７５が照射する光を遮らないため、第１センサ７１および第２センサ７４は何れも非検知状態である。積載枚数が１枚の場合、遮光部８２は発光素子７２が照射する光を遮るため、第１センサ７１は検知状態に変化する。一方、第２センサ７４は非検知状態のままである。積載枚数が１枚以上、（Ｙ−１）枚までの場合、第２センサ７４は非検知状態のままである。積載枚数がＹ枚となると、遮光部９２は発光素子７５が照射する光を遮るため、第２センサ７４は検知状態に変化する。一方、第１センサ７１は検知状態のままである。尚、上記では、給送トレイ２０が横置きのシートＰを支持している場合について説明した。第２センサ７４は、シートＰが縦置きの場合も、第２アクチュエータ９０の当接部９３が縦置きのシートＰと当接するため、上記したように状態が変化する。一方、第１センサ７１は、第１アクチュエータ８０の当接部８３は縦置きのシートＰと当接しないため、積載枚数に関わらず図３に示す積載枚数が０枚の状態であり、非検知状態から変化しない。
【００４７】
次に、給送トレイ２０が脱着される際の、第１センサ７１の状態について説明する。まず、給送トレイ２０がユーザにより引き出される場合について説明する。給送トレイ２０が筐体２に装着されている状態では、給送トレイ２０が支持しているシートＰが横置きか縦置きかなどにより、第１センサ７１の状態は検知状態あるいは非検知状態となっている。給送トレイ２０が引き出され始めると、係合部７０ａと係合部２０ｄとが一時的に係合することによりアーム２６およびフレーム７０は上方へ回動し、これに伴い、当接部８３はフレーム７０と係合して、発光素子７２が照射する光を遮光部８２が遮る位置となり、第１センサ７１が検知状態となる。その後、ユーザによりシートＰが補充できる位置にまで給送トレイ２０が引き出されると、係合部７０ａと係合部２０ｄとの係合が解除され、第１センサ７１は非検知状態に変化する。一方、給送トレイ２０がユーザにより取り付けられる場合には、引き出される場合とは逆に状態が変化する。第１センサ７１は非検知状態から、一端検知状態にされ、装着されている状態では、給送トレイ２０が支持しているシートＰが横置きか縦置きかなどにより検知状態もしくは非検知状態に変化する。
【００４８】
＜電気的構成＞
次に、プリンタ１の電気的構成について図４を用いて説明する。プリンタ１は図１で示した給送部１５、画像形成部２４、第１センサ７１、および第２センサ等の他にＣＰＵ１１２、ＲＡＭ１１３、およびＲＯＭ１１４などを有する。ＣＰＵ１１２はＲＯＭ１１４に記憶されている各種のプログラムを実行することによって、バス１２０を介して接続されている給送部１５、画像形成部２４、およびユーザインタフェース１１７等を制御する。ＲＡＭ１１３はＣＰＵ１１２が各種の処理を実行するための主記憶装置として用いられる。ＲＯＭ１１４には制御プログラムや各種のデータなどが記憶されている。ユーザインタフェース１１７は、例えばタッチパネル、および電源ボタンなどの操作ボタンなどを備える。ユーザインタフェース１１７は、ＣＰＵ１１２の命令に従って、例えば各種の設定画面や装置の動作状態等をタッチパネルに表示する。また、ユーザインタフェース１１７はタッチパネルおよび操作ボタンで受け付けた操作を信号としてＣＰＵ１１２へ送信する。
【００４９】
ＣＰＵ１１２は、印刷ジョブを受信すると、判断処理（後述）においてＲＡＭ１１３に記憶する「シートの向きに関する設定値」を参照し、縦置きであるか横置きであるかを判断する。ここで、「シートの向きに関する設定値」とは、「縦置き」もしくは「横置き」に設定される設定値である。次に、ＣＰＵ１１２は「シートの向きに関する設定値」が縦置きであるか横置きであるかに応じて、印刷ジョブに含まれる印刷データを例えばビットマップデータなどの印刷データに変換する。また、ＣＰＵ１１２は所定のタイミングで、給送ローラ２５を制御し、シートＰを画像形成部２４へ搬送する搬送処理を実行する。また、ＣＰＵ１１２は画像形成部２４を制御して、変換した印刷データに基づいて、シートＰに画像形成させる画像形成処理を実行させる。尚、以下の説明において、搬送処理および画像形成処理を印刷と記載する場合がある。
【００５０】
＜判断処理＞
次に、判断処理について図５、６を用いて説明する。ＣＰＵ１１２は、電源がＯＮされると、所定時間毎に判断処理を繰り返す。ＣＰＵ１１２は第１センサ７１が出力する検知信号に基づいて、第１センサ７１が検知状態から非検知状態に変化したか否かを判断する（Ｓ１）。第１センサ７１が検知状態から非検知状態に変化していないと判断することに応じて（Ｓ１：ＮＯ）、ステップＳ１へ戻り、ＣＰＵ１１２は非検知状態に変化したと判断するまで待機する。一方、第１センサ７１が検知状態から非検知状態に変化したと判断することに応じて（Ｓ１：ＹＥＳ）、給送トレイ２０が引き出された場合、もしくは、給送トレイ２０が支持している横置きのシートＰが無くなった場合であるため、ＣＰＵ１１２は印刷中であるか否かを判断する（Ｓ３）。ここで、ＣＰＵ１１２は、搬送処理および画像形成処理の少なくとも何れか一方を実行している場合、印刷中であると判断する。印刷中であると判断することに応じて（Ｓ３：ＹＥＳ）、ＣＰＵ１１２は印刷を中断する（Ｓ５）。詳しくは、実行中の搬送処理もしくは画像形成処理を中断する。次に、第１センサ７１が非検知状態へ変化したタイミングは給紙タイミングであるか否かをＣＰＵ１１２は判断する（Ｓ７）。ここで、給紙タイミングとは、給送ローラ２５を回転させて、シートＰを搬送経路１６に送出するタイミングである。第１センサ７１が非検知状態へ変化したタイミングは給紙タイミングであると判断することに応じて（Ｓ７：ＹＥＳ）、印刷により給送トレイ２０が支持する横置きのシートＰが無くなったと判断し、ＣＰＵ１１２はユーザインタフェース１１７にメッセージを表示させて、シートを補充するようユーザに報知する（Ｓ４１）。
【００５１】
一方、印刷中でないと判断することに応じて（Ｓ３：ＮＯ）、給送トレイ２０が引き出されたと判断し、ＣＰＵ１１２はユーザインタフェース１１７にメッセージを表示させて、給送トレイ２０が引き出された状態であることをユーザに報知する（Ｓ９）。また、第１センサ７１が非検知状態へ変化したタイミングは給紙タイミングでないと判断することに応じて（Ｓ７：ＮＯ）、給送トレイ２０が引き出されたと判断し、ＣＰＵ１１２はステップＳ９を実行する。次に、給送トレイ２０が装着されたか否かを判断するため、第１センサ７１が非検知状態から検知状態へ変化したか否かをＣＰＵ１１２は判断する（Ｓ１１）。第１センサ７１が非検知状態から検知状態へ変化していないと判断することに応じて（Ｓ１１：ＮＯ）、ＣＰＵ１１２はステップＳ９へ戻る。一方、第１センサ７１が非検知状態から検知状態へ変化したと判断することに応じて（Ｓ１１：ＹＥＳ）、給送トレイ２０が装着されたと判断し、ＣＰＵ１１２はユーザインタフェース１１７に給送トレイ２０が取り外された状態であることの報知を止めさせる（Ｓ１３）。
【００５２】
次に、第１センサ７１は検知状態であるか否かをＣＰＵ１１２は判断する（Ｓ１５）。ここで、第１センサ７１が検知状態である場合とは、給送トレイ２０が横置きのシートＰを少なくとも１枚以上支持している場合である。第１センサ７１は検知状態であると判断することに応じて（Ｓ１５：ＹＥＳ）、第２センサ７４は検知状態であるか否かをＣＰＵ１１２は判断する（Ｓ１７）。第２センサ７４は検知状態でないと判断することに応じて（Ｓ１７：ＮＯ）、ユーザインタフェース１１７にメッセージを表示させて、給送トレイ２０は横置きのシートＰを１枚以上、Ｙ枚未満、支持していることをユーザに報知する（Ｓ１９）。次に、ＣＰＵ１１２は「シートの向きに関する設定値」を「横置き」としてＲＡＭ１１３に記憶する（Ｓ２３）。一方、第２センサ７４は検知状態であると判断することに応じて（Ｓ１７：ＹＥＳ）、ＣＰＵ１１２はユーザインタフェース１１７にメッセージを表示させて、給送トレイ２０は横置きのシートＰをＹ枚以上、支持していることをユーザに報知し（Ｓ２１）、ステップＳ２３へ進む。ステップＳ２実行後、ＣＰＵ１１２は印刷が中断中であるか否かを判断する（Ｓ２５）。印刷を中断中であると判断することに応じて（Ｓ２５：ＹＥＳ）、ＣＰＵ１１２は印刷を再開し（Ｓ２７）、処理を終了する。一方、印刷を中断中でないと判断することに応じて（Ｓ２５：ＮＯ）、ＣＰＵ１１２はステップＳ２７をスキップし、処理を終了する。
【００５３】
一方、第１センサ７１が検知状態でない場合とは、給送トレイ２０が支持しているシートＰが縦置きである場合、もしくは、給送トレイ２０にシートＰが無い場合である。第１センサ７１は検知状態でないと判断することに応じて（Ｓ１５：ＮＯ）、第２センサ７４は検知状態であるか否かをＣＰＵ１１２は判断する（Ｓ２９）。第２センサ７４は検知状態であると判断することに応じて（Ｓ２９：ＹＥＳ）、ＣＰＵ１１２はユーザインタフェース１１７にメッセージを表示させて、給送トレイ２０は縦置きのシートＰをＹ枚以上、支持していることをユーザに報知する（Ｓ３１）。次に、ＣＰＵ１１２は「シートの向きに関する設定値」を「縦置き」としてＲＡＭ１１３に記憶し（Ｓ３３）、ステップＳ２５へ進む。一方、第２センサ７４が検知状態でない場合とは、給送トレイ２０にシートＰが無い場合、もしくは、給送トレイ２０が支持している縦置きのシートＰがＹ枚未満である場合である。そこで、第２センサ７４は検知状態でないと判断することに応じて（Ｓ２９：ＮＯ）、ＣＰＵ１１２はユーザインタフェース１１７に例えば「シートは入っていますか？」のメッセージと、「ＹＥＳ」「ＮＯ」の選択ボタンを表示させる。次に、「ＹＥＳ」の選択ボタンがユーザにより選択され、給送トレイ２０にシートが入っていることが選択されたと判断することに応じて（Ｓ３７：ＹＥＳ）、給送トレイ２０は縦置きのシートＰを１枚以上、Ｙ枚未満、支持していることをユーザ報知し（Ｓ３９）、ステップＳ３３へ進む。一方、「ＮＯ」の選択ボタンがユーザにより選択され、給送トレイ２０にシートが入っていないことが選択されたと判断することに応じて（Ｓ３７：ＮＯ）、ステップＳ４１へ進む。尚、ステップＳ２７では、ＣＰＵ１１２はステップＳ２３もしくはステップＳ３３で設定された、「シートの向きに関する設定値」に基づいて、印刷する。
【００５４】
ここで、インクジェットプリンタ１は画像形成装置の一例である。また、給送トレイ２０はトレイの一例であり、給送ローラ２５はローラの一例であり、ＣＰＵ１１２は制御部の一例である。また、係合部２０ｄは第１当接部の一例である。また、ステップＳ１５，２９はサイズ判断処理の一例であり、ステップＳ１はトレイ判断処理の一例である。
【００５５】
以上、上記した実施形態によれば、以下の効果を奏する。
ＣＰＵ１１２はステップＳ１５，Ｓ２９を実行することにより、給送トレイ２０が縦置きのシートＰを支持しているかどうかが分かる。ＣＰＵ１１２はステップＳ２９でＹＥＳと判断する場合、給送トレイ２０が支持しているシートＰが縦置きであることが分かるので、ステップＳ３１においてユーザに報知し、ステップＳ３３において「シートの向きに関する設定値」を「縦置き」とすることができる。ＣＰＵ１１２はステップＳ１を実行することにより、給送トレイ２０が引き出された可能性があるかどうかが分かる。さらに、ＣＰＵ１１２は、ステップＳ３でＮＯと判断する場合、および、ステップＳ７でＮＯと判断する場合、給送トレイ２０が引き出されたことが分かるので、ステップＳ９においてユーザに報知することができる。このように、第１アクチュエータ８０および第２アクチュエータ９０の位置に応じて第１センサ７１および第２センサ７４が出力する検知信号に基づいて、ＣＰＵ１１２はシートＰが縦置きであるか横置きであるかとの判断と、給送トレイ２０が引き出されたか否かの判断とをすることができる。
【００５６】
また、ステップＳ１１でＹＥＳと判断する場合、ＣＰＵ１１２は給送トレイ２０が装着されたことが分かるので、ステップＳ１３においてユーザに報知することができる。
【００５７】
また、支持面２０ａは穴２０ｂを有しているため、ステップＳ１７でＮＯと判断する場合、給送トレイ２０は横置きのシートＰを少なくとも１枚以上、支持しているとＣＰＵ１１２は判断することができるため、ステップＳ１９においてユーザに報知することができる。
【００５８】
また、第１アクチュエータ８０と第２アクチュエータ９０とでは、左右方向から見て、遮光部８２（第２アクチュエータ９０では遮光部９２）の長手方向の軸と、当接部８３（第２アクチュエータ９０では当接部９３）の長手方向の軸とがなす角の角度が異なるため、第１センサ７１と第２センサ７４とでは、検知状態と非検知状態との間で状態が切替わる閾値となるシートＰの積載枚数を異なるものとすることができる。
【００５９】
また、ステップＳ７でＹＥＳと判断した場合、ＣＰＵ１１２はステップＳ４１にてユーザに給送トレイ２０にシートＰが無くなったことを報知することができる。また、ステップＳ１５でＹＥＳと判断した場合、ＣＰＵ１１２はステップＳ２３にて、「シートの向きに関する設定値」を「横置き」とすることができる。これにより、ユーザは、印刷における設定の操作を簡略化することができる。また、ステップＳ１５でＮＯと判断し、ステップＳ２９でＹＥＳと判断した場合、ＣＰＵ１１２はステップＳ３３にて、「シートの向きに関する設定値」を「縦置き」とすることができる。これにより、ユーザは、印刷における設定の操作を簡略化することができる。
【００６０】
＜変形例１＞
次に、上記した実施形態の変形例について説明する。上記では、第１アクチュエータ８０の下方に穴２０ｂが設置されていると説明したが、穴２０ｂが形成されていない構成としても良い。この場合、検知処理において、ＣＰＵ１１２はステップＳ１９，Ｓ３９を以下の内容で実行する。この場合、第１アクチュエータ８０はＹ枚より少ないＸ枚で、非検知状態から検知状態へ変化するものとする。ステップＳ１９では、給送トレイ２０は横置きのシートＰをＸ枚以上、Ｙ枚未満支持していることをＣＰＵ１１２はユーザに報知する。この構成によれば、ＣＰＵ１１２は給送トレイ２０に支持されている横置きのシートＰの積載枚数をＸ枚、Ｙ枚の２段階で判断することができる。また、ＣＰＵ１１２は給送トレイ２０に支持されている縦置きのシートＰの積載枚数を、Ｙ枚を基準として判断することができる。
【００６１】
＜変形例２＞
また、穴２０ｂが形成されていない構成において、第１アクチュエータ８０および第２アクチュエータ９０の形状が上記と異なる構成としても良い。具体的には、当接部８３（第２アクチュエータ９０では当接部９３）の長手方向の軸と遮光部８２（第２アクチュエータ９０では遮光部９２）の長手方向の軸とのなす角の角度が、第２アクチュエータ９０の方が、角度が大きい構成としても良い。この場合、非検出状態と検出状態とで状態が変化するシートＰの枚数は、第２アクチュエータ９０の方が第１アクチュエータ８０よりも少ない。この場合、検知処理において、ＣＰＵ１１２はステップＳ１９，Ｓ３１，Ｓ３９を以下の内容で実行する。第１アクチュエータ８０はＸ枚で、非検知状態から検知状態へ変化するものとする。第２アクチュエータ９０はＸ枚より少ないＹ枚で、非検知状態から検知状態へ変化するものとする。ステップＳ１９では、例えば第１センサ７１および第２センサ７４などの異常と判断し、ＣＰＵ１１２はユーザインタフェース１１７にエラーを表示させ、処理を終了する。これは、第１センサ７１が検知状態である（Ｓ１５：ＹＥＳ）場合とは、給送トレイ２０が縦置きのシートＰをＸ枚以上支持している場合であり、第２センサ７４も検知状態となるはずだからである。ステップＳ２１では、給送トレイ２０は横置きのシートＰがＸ枚以上、支持しているとＣＰＵ１１２はユーザに報知する。ステップＳ３１では、給送トレイ２０は縦置きのシートＰがＹ枚以上、Ｘ枚未満、支持しているとＣＰＵ１１２はユーザに報知する。この構成によれば、印刷中に第１センサ７１が非検知状態から検知状態に変化した場合、給送トレイ２０が支持している横置きのシートＰが無くなったことを判断することができる。また、ＣＰＵ１１２は給送トレイ２０に支持されている横置きのシートＰの積載枚数をＸ枚、Ｙ枚の２段階で判断することができる。
【００６２】
＜変形例３＞
また、変形例２において、穴２０ｂが第２アクチュエータ９０に形成されている構成としても良い。この場合、検知処理において、ＣＰＵ１１２はステップＳ１９，Ｓ３１，Ｓ３９を以下の内容で実行する。第１アクチュエータ８０はＸ枚で、非検知状態から検知状態へ変化するものとする。第２アクチュエータ９０は１枚で、非検知状態から検知状態へ変化するものとする。ステップＳ１９では、例えば第１センサ７１および第２センサ７４などの異常と判断し、ＣＰＵ１１２はユーザインタフェース１１７にエラーを表示させ、処理を終了する。ステップＳ２１では、給送トレイ２０は横置きのシートＰがＸ枚以上支持しているとＣＰＵ１１２はユーザに報知する。ステップＳ３１では、給送トレイ２０は縦置きのシートＰを１枚以上、Ｘ枚未満、支持しているとＣＰＵ１１２はユーザに報知する。第１センサ７１が検知状態でなく（Ｓ１５：ＮＯ）、第２センサ７４が検知状態でない（Ｓ２９：ＮＯ）場合、給送トレイ２０にシートＰが無いため、ＣＰＵ１１２はステップＳ３５，Ｓ３７，Ｓ３９は実行せず、ステップＳ４１へ進む。この構成によれば、ステップＳ２９でＹＥＳと判断する場合、給送トレイ２０はシートＰを少なくとも１枚以上、支持しているとＣＰＵ１１２は判断することができる。
【００６３】
尚、本発明は前記実施形態に限定されるものではなく、本発明の趣旨を逸脱しない範囲内での種々の改良、変更が可能であることは言うまでもない。
例えば、第１アクチュエータ８０および第２アクチュエータ９０は左右方向において、給送トレイ２０の基準線からの距離が異なる位置に設置されていると説明したが、これに限定されず、前後方向にずれて設置される構成としても良い。また、左右方向および前後方向の何れにもずれて設置される構成としても良い。
【００６４】
また、第１サイズとして、Ａ４縦置き、第２サイズとして、Ａ４横置きを例示したが、サイズを限定するものではない。
【００６５】
また、給送トレイ２０は、給送トレイ２０は、給送トレイ２０の左右方向の略中心を基準線とすると説明したが、これに限定されず、例えば、給送トレイ２０の左右方向の端辺近傍を基準線とする構成としても良い。
【００６６】
また、第１アクチュエータ８０と第２アクチュエータ９０とでは、左右方向から見て、遮光部８２（第２アクチュエータ９０では遮光部９２）の長手方向の軸と、当接部８３（第２アクチュエータ９０では当接部９３）の長手方向の軸とがなす角の角度が異なると説明したが、これに限定されない。例えば、遮光部８２および遮光部９２の形状が互いに異なる構成など、第１センサ７１と第２センサ７４とでは、検知状態と非検知状態との間で状態が切替わる閾値となるシートＰの積載枚数が異なる構成とすると良い。
【００６７】
また、第１センサ７１は受光素子７３が受光する受光量が所定量を下回った場合、検知信号をＣＰＵ１１２へ出力すると説明したが、これに限定されず、例えば、受光量が所定量以上である場合に検知信号をＣＰＵ１１２へ出力する構成としても良い。
【００６８】
また、実施形態では、インクジェットプリンタ１を例に説明したが、これに限定されるものではない。レーザプリンタ等の電子写真方式を採用したプリンタでも良いし、スキャナ機能、コピー機能、ファクシミリ機能等を備える所謂複合機であっても良い。
【００６９】
また、実施形態では、ＣＰＵ１１２を備える場合を例に説明したが、これに限定されるものではない。複数のＣＰＵを備えてもよいし、複数のＡＳＩＣによって構成されても良い。さらに、ＣＰＵとＡＳＩＣとの任意の組み合わせによって構成されても良い。
【符号の説明】
【００７０】
１  インクジェットプリンタ
２  筐体
１５  給送部
２０  給送トレイ
２０ａ  支持面
２０ｂ  穴
２０ｄ  係合部
２４  画像形成部
２５  給送ローラ
７１  第１センサ
７４  第２センサ
８０  第１アクチュエータ
８１，９１  支軸
８２，９２  遮光部
８３，９３  当接部
９０  第２アクチュエータ
１１２  ＣＰＵ
Ｒ１  第１領域
Ｒ２  第２領域
【図１】
2017222484.tif 000003
【図２】
2017222484.tif 000004
【図３】
2017222484.tif 000005
【図４】
2017222484.tif 000006
【図５】
2017222484.tif 000007
【図６】
2017222484.tif 000008